(57)【特許請求の範囲】
【請求項１】
それぞれに複数の発光ダイオードが電気的に直列接続されて構成されるＮ個（Ｎは２以上の自然数）の光源部と、Ｎ個の前記光源部を点灯する点灯回路部と、長尺の板状に形成されてＮ個の前記光源部が長手方向に並ぶように実装される第１基板と、前記点灯回路部が実装される第２基板とを備え、
前記第１基板は、１番からＮ番までの前記光源部が長手方向に沿って順番に並ぶように実装され、かつ、ｉ番の前記光源部の一方の極とｉ＋１番の前記光源部の一方の極を電気的に直列接続するＮ−１個の第１導体と（ｉは１からＮ−１までの自然数）、Ｎ個の前記光源部の両端とそれぞれ電気的に接続される第１コネクタとを備え、
前記点灯回路部は、外部から交流電圧・交流電流が入力される一対の入力端子と、前記入力端子間に印加される交流電圧を整流する整流器と、Ｎ個の前記光源部に対してそれぞれ一定の電流を流すＮ個の定電流回路とを備え、
前記第２基板は、一対の前記入力端子、前記整流器並びにＮ個の前記定電流回路が実装され、かつ、ｊ番の前記定電流回路の一方の極とｊ＋１番の前記定電流回路の一方の極を電気的に直列接続するＮ−１個の第２導体と（ｊは１からＮ−１までの自然数）、Ｎ個の前記定電流回路とそれぞれ電気的に接続される第２コネクタとを備え、
前記第１コネクタは、前記第１基板の長手方向における一方の端部に実装され、前記第２基板の端部に実装された前記第２コネクタと着脱可能かつ電気的に接続されるように構成されることを特徴とする照明装置。
【請求項２】
前記第２基板は、前記第１基板の短手方向の幅寸法とほぼ等しい幅寸法を有する長方形の板状に形成されることを特徴とする請求項１記載の照明装置。
【請求項３】
請求項１又は２記載の照明装置と、前記照明装置を支持する器具本体とを備えることを特徴とする照明器具。
【発明の詳細な説明】
【技術分野】
【０００１】
本発明は、照明装置及び照明器具に関し、より詳細には、発光ダイオードを光源とする照明装置、及び当該照明装置を有する照明器具に関する。
【背景技術】
【０００２】
従来例として、特許文献１記載の照明装置を例示する。特許文献１記載の照明装置は、ＬＥＤモジュールと、ＬＥＤ駆動回路とを有する。ＬＥＤモジュールは、直列に接続された複数のＬＥＤセグメントと、各ＬＥＤセグメントの両端と電気的に接続される複数の端子とを含む。ＬＥＤ駆動回路は、ＬＥＤモジュールが有する複数の端子と１対１に接続される複数の端子と、電源から交流電圧が入力される入力端子と、隣り合う各組の端子間を開閉する複数のスイッチングデバイスと、電流制御デバイスと、制御回路とを有する。
【０００３】
ＬＥＤ駆動回路は、入力端子から入力される交流電圧のレベルに応じて、複数のスイッチングデバイスを順番にオン・オフすることにより、ＬＥＤモジュールの各ＬＥＤセグメントを順番に駆動するように構成される。
【先行技術文献】
【特許文献】
【０００４】
【特許文献１】特表２０１４−５１３３８３号公報
【発明の概要】
【発明が解決しようとする課題】
【０００５】
ところで、特許文献１記載の従来例において、ＬＥＤモジュールとＬＥＤ駆動回路にそれぞれ設けられる複数の端子が、実装基板（プリント配線板）の長手方向に沿って間隔を空けて実装される場合がある。この場合、各端子が離れているため、組立て時の接続作業が行い難（にく）いという課題がある。
【０００６】
本発明は、上記課題に鑑みてなされており、組立ての作業性の向上を図ることを目的とする。
【課題を解決するための手段】
【０００７】
本発明の照明装置は、それぞれに複数の発光ダイオードが電気的に直列接続されて構成されるＮ個（Ｎは２以上の自然数）の光源部と、Ｎ個の前記光源部を点灯する点灯回路部と、長尺の板状に形成されてＮ個の前記光源部が長手方向に並ぶように実装される第１基板と、前記点灯回路部が実装される第２基板とを備え、前記第１基板は、１番からＮ番までの前記光源部が長手方向に沿って順番に並ぶように実装され、かつ、ｉ番の前記光源部の一方の極とｉ＋１番の前記光源部の一方の極を電気的に直列接続するＮ−１個の第１導体と（ｉは１からＮ−１までの自然数）、Ｎ個の前記光源部の両端とそれぞれ電気的に接続される第１コネクタとを備え、前記点灯回路部は、外部から交流電圧・交流電流が入力される一対の入力端子と、前記入力端子間に印加される交流電圧を整流する整流器と、Ｎ個の前記光源部に対してそれぞれ一定の電流を流すＮ個の定電流回路とを備え、前記第２基板は、一対の前記入力端子、前記整流器並びにＮ個の前記定電流回路が実装され、かつ、ｊ番の前記定電流回路の一方の極とｊ＋１番の前記定電流回路の一方の極を電気的に直列接続するＮ−１個の第２導体と（ｊは１からＮ−１までの自然数）、Ｎ個の前記定電流回路とそれぞれ電気的に接続される第２コネクタとを備え、前記第１コネクタは、前記第１基板の長手方向における一方の端部に実装され、前記第２基板の端部に実装された前記第２コネクタと着脱可能かつ電気的に接続されるように構成されることを特徴とする。
【０００８】
本発明の照明器具は、照明装置と、前記照明装置を支持する器具本体とを備えることを特徴とする。
【発明の効果】
【０００９】
本発明の照明装置及び照明器具は、組立ての作業性の向上を図ることができるという効果がある。
【図面の簡単な説明】
【００１０】
【図１】実施形態に係る照明装置を示す回路構成図である。
【図２】実施形態に係る照明装置を示す一部省略した正面図である。
【図３】実施形態に係る照明器具を示す斜視図である。
【図４】図４Ａは実施形態に係る照明器具におけるアームの正面図、図４Ｂは実施形態に係る照明器具におけるアームの側面図である。
【図５】別の実施形態に係る照明装置を示す正面図である。
【発明を実施するための形態】
【００１１】
本実施形態に係る照明装置について、図１〜図３を参照して詳細に説明する。
【００１２】
本実施形態の照明装置は、図１に示すように、点灯モジュール１とＬＥＤモジュール２とを備える。ＬＥＤモジュール２は、それぞれに複数の発光ダイオードが電気的に直列接続されて構成されるＮ個（図示例は３個）の光源部（第１の光源部２０Ａ、第２の光源部２０Ｂ、第３の光源部２０Ｃ）と、第１基板２１とを備える（図１及び図２参照）。
【００１３】
第１の光源部２０Ａは、図１及び図２に示すように、複数（例えば、１２個）の発光ダイオード（ＬＥＤ）２０１〜２１２の直列回路と、平滑用のコンデンサＣ１とで構成される。第２の光源部２０Ｂは、図２に示すように、複数（例えば、８個）のＬＥＤ２１３〜２２０の直列回路と、平滑用のコンデンサＣ２とで構成される。第３の光源部２０Ｃは、図２に示すように、複数（例えば、５個）のＬＥＤ２２１〜２２５の直列回路と、平滑用のコンデンサＣ３とで構成される。ただし、各光源部２０Ａ〜２０Ｃを構成するＬＥＤ２０１〜２２５の個数は一例であって、これらの個数に限定されない。３個の光源部２０Ａ〜２０Ｃは、隣り合う２つのＬＥＤ２０１〜２２５のアノードとカソード及びカソードとアノードがそれぞれ第１導体２３によって電気的に接続される（図１及び図２参照）。ここで、第１の光源部２０Ａは、先頭のＬＥＤ２１２のカソードを負極とし、後尾のＬＥＤ２０１のアノードを正極とし、負極と正極の電位差が第１のしきい値電圧Ｖ１を超えたときに導通して発光（点灯）するように構成される。同じく、第２の光源部２０Ｂは、先頭のＬＥＤ２２０のカソードを負極とし、後尾のＬＥＤ２１３のアノードを正極とし、負極と正極の電位差が第２のしきい値電圧Ｖ２を超えたときに導通して発光（点灯）するように構成される。同様に、第３の光源部２０Ｃは、先頭のＬＥＤ２２５のカソードを負極とし、後尾のＬＥＤ２２１のアノードを正極とし、負極と正極の電位差が第３のしきい値電圧Ｖ３を超えたときに導通して発光（点灯）するように構成される。なお、平滑用コンデンサＣ１、Ｃ２、Ｃ３は、第１〜第３の光源部２０Ａ〜２０ＣにおけるＬＥＤの直列回路と電気的に並列接続される。
【００１４】
点灯モジュール１は、図１及び図２に示すように、交流電源５から交流電圧・交流電流が入力される一対の入力端子１２Ａ、１２Ｂと、入力端子１２Ａ、１２Ｂ間に印加される交流電圧を整流する整流器１１とを備える。整流器１１は、ダイオードブリッジで構成されることが好ましい。さらに、点灯モジュール１は、３個の光源部２０Ａ〜２０Ｃに対してそれぞれ一定の電流を流す、同数（本実施形態では３個）の定電流回路（第１の定電流回路１０Ａ、第２の定電流回路１０Ｂ、第３の定電流回路１０Ｃ）を備える。
【００１５】
第１の定電流回路１０Ａは、図１に示すように、ＭＯＳ型の電界効果トランジスタＱ１と、バイポーラトランジスタＱ１１と、３つの抵抗Ｒ１１、Ｒ１２、Ｒ１３とで構成される。電界効果トランジスタＱ１のドレインは、第１の光源部２０Ａの負極と電気的に接続される。電界効果トランジスタＱ１のソースは、抵抗Ｒ１２を介してバイポーラトランジスタＱ１１のベースと電気的に接続される。電界効果トランジスタＱ１のゲートは、抵抗Ｒ１３の一端及びバイポーラトランジスタＱ１１のコレクタと電気的に接続される。抵抗Ｒ１３の他端は、電界効果トランジスタＱ１のドレインと電気的に接続される。バイポーラトランジスタＱ１１のエミッタは、抵抗Ｒ１１の一端及び整流器１１の低電位側の出力端子と電気的に接続される。抵抗Ｒ１１の他端は、電界効果トランジスタＱ１のソースと電気的に接続される。上述のように構成される第１の定電流回路１０Ａは従来周知であって、抵抗Ｒ１１に流れる電流を一定とするように動作する。
【００１６】
第２の定電流回路１０Ｂは、図１に示すように、ＭＯＳ型の電界効果トランジスタＱ２と、バイポーラトランジスタＱ１２と、３つの抵抗Ｒ２１、Ｒ２２、Ｒ２３とで構成される。電界効果トランジスタＱ２のドレインは、第２の光源部２０Ｂの負極と電気的に接続される。電界効果トランジスタＱ２のソースは、抵抗Ｒ２２を介してバイポーラトランジスタＱ１２のベースと電気的に接続される。電界効果トランジスタＱ２のゲートは、抵抗Ｒ２３の一端及びバイポーラトランジスタＱ１２のコレクタと電気的に接続される。抵抗Ｒ２３の他端は、電界効果トランジスタＱ２のドレインと電気的に接続される。バイポーラトランジスタＱ１２のエミッタは、抵抗Ｒ２１の一端及び第１の定電流回路１０Ａの抵抗Ｒ１１の一端と電気的に接続される。抵抗Ｒ２１の他端は、電界効果トランジスタＱ２のソースと電気的に接続される。第２の定電流回路１０Ｂは、第１の定電流回路１０Ａと同様に、抵抗Ｒ２１に流れる電流を一定とするように動作する。
【００１７】
第３の定電流回路１０Ｃは、図１に示すように、ＭＯＳ型の電界効果トランジスタＱ３と、バイポーラトランジスタＱ１３と、３つの抵抗Ｒ３１、Ｒ３２、Ｒ３３とで構成される。電界効果トランジスタＱ３のドレインは、第３の光源部２０Ｃの負極と電気的に接続される。電界効果トランジスタＱ３のソースは、抵抗Ｒ３２を介してバイポーラトランジスタＱ１３のベースと電気的に接続される。電界効果トランジスタＱ３のゲートは、抵抗Ｒ３３の一端及びバイポーラトランジスタＱ１３のコレクタと電気的に接続される。抵抗Ｒ３３の他端は、電界効果トランジスタＱ３のドレインと電気的に接続される。バイポーラトランジスタＱ１３のエミッタは、抵抗Ｒ３１の一端及び第２の定電流回路１０Ｂの抵抗Ｒ２１の一端と電気的に接続される。抵抗Ｒ３１の他端は、電界効果トランジスタＱ３のソースと電気的に接続される。第３の定電流回路１０Ｃは、第１の定電流回路１０Ａ及び第２の定電流回路１０Ｂと同様に、抵抗Ｒ３１に流れる電流を一定とするように動作する。
【００１８】
次に、点灯モジュール１の動作を説明する。整流器１１の脈流出力電圧がゼロクロスから上昇して第１のしきい値電圧Ｖ１を超えると、第１の光源部２０Ａが導通して発光（点灯）する。このとき、第１の定電流回路１０Ａが動作して第１の光源部２０Ａに流れる電流を定電流化する。整流器１１の脈流出力電圧が更に上昇して第１のしきい値電圧Ｖ１と第２のしきい値電圧Ｖ２の合成電圧Ｖ１＋Ｖ２を超えると、第２の光源部２０Ｂが導通して発光（点灯）する。このとき、第２の定電流回路１０Ｂが動作して第１の光源部２０Ａ及び第２の光源部２０Ｂに流れる電流を定電流化する。整流器１１の脈流出力電圧が更に上昇して第１のしきい値電圧Ｖ１と第２のしきい値電圧Ｖ２と第３のしきい値電圧Ｖ３の合成電圧Ｖ１＋Ｖ２＋Ｖ３を超えると、第３の光源部２０Ｃが導通して発光（点灯）する。このとき、第３の定電流回路１０Ｃが動作して第１の光源部２０Ａ、第２の光源部２０Ｂ及び第３の光源部２０Ｃに流れる電流を定電流化する。
【００１９】
一方、整流器１１の脈流出力電圧がピーク値を過ぎて下降し、第１のしきい値電圧Ｖ１と第２のしきい値電圧Ｖ２と第３のしきい値電圧Ｖ３の合成電圧Ｖ１＋Ｖ２＋Ｖ３を下回ると、コンデンサＣ３の充電電荷が放電されて第３の光源部２０Ｃの点灯が維持される。このとき、第３の定電流回路１０Ｃは停止する。整流器１１の脈流出力電圧が更に下降し、第１のしきい値電圧Ｖ１と第２のしきい値電圧Ｖ２の合成電圧Ｖ１＋Ｖ２を下回ると、コンデンサＣ２の充電電荷が放電されて第２の光源部２０Ｂの点灯が維持される。このとき、第２の定電流回路１０Ｂは停止する。整流器１１の脈流出力電圧が更に下降し、第１のしきい値電圧Ｖ１を下回ると、コンデンサＣ１の充電電荷が放電されて第１の光源部２０Ａの点灯が維持される。このとき、第１の定電流回路１０Ａは停止する。
【００２０】
点灯モジュール１は、上述の動作を脈流出力電圧の半周期ごとに繰り返すことでＬＥＤモジュール２を点灯させる。
【００２１】
次に、図１及び図２を参照して、点灯モジュール１及びＬＥＤモジュール２の構造を更に詳しく説明する。ただし、以下の説明においては、ＬＥＤモジュール２の第１基板２１の長手方向を左右方向、短手方向を上下方向とそれぞれ規定する。
【００２２】
ＬＥＤモジュール２の２５個のＬＥＤ２０１〜２２５は、図２に示すように、第１基板２１の左右方向に沿って、等間隔かつ一列に並ぶように実装される。そして、各ＬＥＤ２０１〜２２５間は、第１基板２１の表面に形成される第１導体２３（例えば、銅はく）によってそれぞれ電気的に接続される。また、第１基板２１の右端に、第１コネクタ２２が実装される。
【００２３】
第１コネクタ２２は、４つのコンタクト（第１コンタクト２２Ａ、第２コンタクト２２Ｂ、第３コンタクト２２Ｃ、第４コンタクト２２Ｄ）を有する。第１コンタクト２２Ａのコンタクト端子は、導体２４Ａを介して第１の光源部２０Ａの正極（ＬＥＤ２０１のアノード）と電気的に接続される。第２コンタクト２２Ｂのコンタクト端子は、導体２４Ｃを介して第１の光源部２０Ａの負極（ＬＥＤ２１２のカソード）及び第２の光源部２０Ｂの正極（ＬＥＤ２１３のアノード）と電気的に接続される。第３コンタクト２２Ｃのコンタクト端子は、導体２４Ｄを介して第２の光源部２０Ｂの負極（ＬＥＤ２２０のカソード）及び第３の光源部２０Ｃの正極（ＬＥＤ２２１のアノード）と電気的に接続される。第４コンタクト２２Ｄのコンタクト端子は、導体２４Ｂを介して第３の光源部２０Ｃの負極（ＬＥＤ２２５のカソード）と電気的に接続される。
【００２４】
一方、点灯モジュール１は、図２に示すように、３個の定電流回路１０Ａ〜１０Ｃ、整流器１１、一対の入力端子１２Ａ、１２Ｂなどが第２基板１４に実装されて構成される。第２基板１４は、第１基板２１の短手方向（上下方向）の幅寸法とほぼ等しい幅寸法を有する長方形（例えば、正方形）の板状に形成されることが好ましい。３個の定電流回路１０Ａ〜１０Ｃは、第２基板１４の下端部に、左右方向に沿って等間隔に並べて実装される。また、第１の定電流回路１０Ａの負極（電界効果トランジスタＱ１のソースと抵抗Ｒ１１との接続点）と、第２の定電流回路１０Ｂの負極（バイポーラトランジスタＱ１１のエミッタと抵抗Ｒ１１との接続点）とが第２導体１５を介して電気的に接続される（図１参照）。さらに、第２の定電流回路１０Ｂの負極（電界効果トランジスタＱ２のソースと抵抗Ｒ２１との接続点）と、第３の定電流回路１０Ｃの負極（バイポーラトランジスタＱ１２のエミッタと抵抗Ｒ２１との接続点）とが第２導体１５を介して電気的に接続される（図１参照）。
【００２５】
一対の入力端子１２Ａ、１２Ｂは、第２基板１４の右上部に、上下方向に並べて実装される。整流器１１は、第２基板１４の中央上部に、一対の入力端子１２Ａ、１２Ｂと左右方向に並べて実装される（図２参照）。一方の入力端子１２Ａと整流器１１の高電位側の入力端子が導体１６５を介して電気的に接続される。他方の入力端子１２Ｂと整流器１１の低電位側の入力端子が導体１６６を対して電気的に接続される（図１及び図２参照）。整流器１１の低電位側の出力端子は、導体１６４を介して第１の定電流回路１０Ａの負極と電気的に接続される（図１及び図２参照）。
【００２６】
また、第２基板１４の左上部には、第２コネクタ１３が実装される（図２参照）。第２コネクタ１３は、４つのコンタクト（第１コンタクト１３Ａ、第２コンタクト１３Ｂ、第３コンタクト１３Ｃ、第４コンタクト１３Ｄ）を有する。第１コンタクト１３Ａのコンタクト端子は、導体１６０を介して整流器１１の高電位側の出力端子と電気的に接続される。第２コンタクト１３Ｂのコンタクト端子は、導体１６１を介して第３の定電流回路１０Ｃの正極（電界効果トランジスタＱ３のドレイン）と電気的に接続される。第３コンタクト１３Ｃのコンタクト端子は、導体１６２を介して第２の定電流回路１０Ｂの正極（電界効果トランジスタＱ２のドレイン）と電気的に接続される。第４コンタクト１３Ｄのコンタクト端子は、導体１６３を介して第１の定電流回路１０Ａの正極（電界効果トランジスタＱ１のドレイン）と電気的に接続される。
【００２７】
第１コネクタ２２と第２コネクタ１３は、互いのコンタクト同士を１対１で電気的に接続するように構成される。例えば、第１コネクタ２２の第１コンタクト２２Ａは、第２コネクタ１３の第１コンタクト１３Ａと電気的に接続され、第１コネクタ２２の第２コンタクト２２Ｂは、第２コネクタ１３の第２コンタクト１３Ｂと電気的に接続される。また、第１コネクタ２２の第３コンタクト２２Ｃは、第２コネクタ１３の第３コンタクト１３Ｃと電気的に接続され、第１コネクタ２２の第４コンタクト２２Ｄは、第２コネクタ１３の第４コンタクト１３Ｄと電気的に接続される。第１コネクタ２２と第２コネクタ１３とが上述のように接続されることにより、図１に示す照明装置の回路が形成される。なお、第１コネクタ２２と第２コネクタ１３は、一方をオス型とし、他方をメス型として直接に嵌（は）め合わせる（接続する）ように構成されてもかまわない。あるいは、第１コネクタ２２と第２コネクタ１３がそれぞれソケットコネクタで構成され、互いに電線で電気的に接続される２つのヘッダコネクタが第１コネクタ２２と第２コネクタ１３に差し込み接続されるように構成されてもかまわない。
【００２８】
このように本実施形態の照明装置は、点灯モジュール１の第２コネクタ１３とＬＥＤモジュール２の第１コネクタ２２とを着脱可能に接続することで組み立てられる。そのため、ＬＥＤモジュールとＬＥＤ駆動回路にそれぞれ設けられる複数の端子が、実装基板の長手方向に沿って間隔を空けて実装される場合と比較して、本実施形態の照明装置は、組立ての作業性の向上を図ることができる。
【００２９】
上述のように本実施形態の照明装置は、それぞれに複数の発光ダイオード２０１〜２２５が電気的に直列接続されて構成されるＮ個（Ｎは２以上の自然数）の光源部２０Ａ〜２０Ｃと、Ｎ個の光源部２０Ａ〜２０Ｃを点灯する点灯回路部とを備える。また、本実施形態の照明装置は、長尺の板状に形成されてＮ個の光源部２０Ａ〜２０Ｃが長手方向に並ぶように実装される第１基板２１と、点灯回路部が実装される第２基板１４とを備える。第１基板２１は、１番からＮ番までの光源部２０Ａ〜２０Ｃが長手方向に沿って順番に並ぶように実装される。第１基板２１は、ｉ番の光源部２０Ａ〜２０Ｃの一方の極とｉ＋１番の光源部２０Ｂ、２０Ｃの一方の極を電気的に直列接続するＮ−１個の第１導体２３を備える（ｉは１からＮ−１までの自然数）。第１基板２１は、Ｎ個の光源部２０Ａ〜２０Ｃの両端とそれぞれ電気的に接続される第１コネクタ２２を備える。点灯回路部は、外部（交流電源５）から交流電圧・交流電流が入力される一対の入力端子１２Ａ、１２Ｂと、入力端子１２Ａ、１２Ｂ間に印加される交流電圧を整流する整流器１１とを備える。また、点灯回路部は、Ｎ個の光源部２０Ａ〜２０Ｃに対してそれぞれ一定の電流を流すＮ個の定電流回路１０Ａ〜１０Ｃを備える。第２基板１４は、一対の入力端子１２Ａ、１２Ｂ、整流器１１並びにＮ個の定電流回路１０Ａ〜１０Ｃが実装される。また、第２基板１４は、ｊ番の定電流回路１０Ａ〜１０Ｃの一方の極（負極）とｊ＋１番の定電流回路１０Ｂ、１０Ｃの一方の極（負極）を電気的に直列接続するＮ−１個の第２導体１５（ｊは１からＮ−１までの自然数）を備える。また、第２基板１４は、Ｎ個の定電流回路１０Ａ〜１０Ｃとそれぞれ電気的に接続される第２コネクタ１３を備える。第１コネクタ２２は、第１基板２１の長手方向における一方の端部に実装され、第２基板１４の端部に実装された第２コネクタ１３と着脱可能かつ電気的に接続されるように構成される。
【００３０】
本実施形態の照明装置は上述のように構成され、点灯モジュール１の第２コネクタ１３とＬＥＤモジュール２の第１コネクタ２２とを着脱可能に接続することで組み立てられるので、組立ての作業性の向上を図ることができる。
【００３１】
また、本実施形態の照明装置において、第２基板１４は、第１基板２１の短手方向の幅寸法とほぼ等しい幅寸法を有する長方形の板状に形成されることが好ましい。
【００３２】
本実施形態の照明装置が上述のように構成されれば、２枚の基板１４、２１の幅寸法が揃（そろ）うことにより、例えば、照明器具を器具本体内に収容し易（やす）くなるという利点がある。
【００３３】
次に、本実施形態に係る照明器具について、図３、図４Ａ及び図４Ｂを参照して詳細に説明する。なお、本実施形態の照明器具８は、いわゆる防犯灯であり、地面に立てられる支柱５０（電力柱又は鋼管ポール）若しくは建物の外壁などに取り付けられることが好ましい。ただし、本実施形態の照明器具８は防犯灯に限定されず、防犯灯以外の照明器具であってもかまわない。
【００３４】
照明器具８は、図３に示すように、本体８０、グローブ８１、アーム８２などを有することが好ましい。本体８０は、合成樹脂（例えば、ＡＳＡ（acrylate styrene acrylonitrile）樹脂）により、下面が開口した長尺の長方形箱状に形成されることが好ましい。グローブ８１は、透光性を有する合成樹脂（例えば、アクリル樹脂）により、半円筒状に形成されることが好ましい。グローブ８１は、長手方向の一端部（図３における上端部）に一対のヒンジ部８１０が設けられる。各ヒンジ部８１０は、半円環状に形成され、本体８０の長手方向の一端部（図３における上端部）に設けられる一対の軸に引っ掛けられる。つまり、グローブ８１は、本体８０の下面開口を塞ぐ閉位置（図３参照）と、本体８０の下面開口を開放する開位置との間で回転可能に本体８０に取り付けられる。ただし、グローブ８１の長手方向の他端部（図３における下端部）には、閉位置のグローブ８１を本体８０にねじ止めするためのねじが取り付けられている。
【００３５】
アーム８２は、図４Ａ及び図４Ｂに示すように、取付部８２０と、固定部８２１と、連結部８２２とを有することが好ましい。取付部８２０は、長尺の長方形平板状に形成される取付板８２００と、取付板８２００の長手方向に沿った両端縁から厚み方向に立ち上がる一対の側板８２０１とを有することが好ましい（図４Ｂ参照）。固定部８２１は、取付板８２００よりも幅の狭い長尺の長方形平板状に形成される固定板８２１０と、固定板８２１０の長手方向に沿った両端縁から厚み方向に立ち上がる一対の側壁８２１１とを有することが好ましい（図４Ａ、図４Ｂ参照）。連結部８２２は、台形状に形成される主片８２２０と、アーム８２の長手方向に沿った主片８２２０の両端縁から厚み方向に立ち上がる一対の側片８２２１とを有することが好ましい。ただし、取付部８２０と固定部８２１と連結部８２２とは、鋼板などの板材が打ち抜き加工及び曲げ加工されることで一体に形成されることが好ましい。なお、固定部８２１は、図４Ｂに示すように、連結部８２２と連結される側（図４Ｂにおける左側）の端部が湾曲するように形成されることが好ましい。
【００３６】
固定部８２１の固定板８２１０は、だるま孔からなる第１ねじ挿通孔８２１２と、丸孔からなる第２ねじ挿通孔８２１３と、半円形のねじ挿通溝８２１４とを有することが好ましい（図４Ａ参照）。また、固定部８２１の各側壁８２１１には、長方形の挿通孔８２１５がそれぞれ設けられることが好ましい（図４Ｂ参照）。
【００３７】
取付部８２０の取付板８２００の一面（図４Ｂにおける下面）には、ねじ止めなどの適宜の方法によって点灯モジュール１及びＬＥＤモジュール２が取り付けられる。アーム８２は、取付部８２０と連結部８２２とが本体８０内に収納され、かつ、ねじ止めなどの適宜の方法で本体８０に固定されることが好ましい。ただし、アーム８２は、点灯モジュール１及びＬＥＤモジュール２が取り付けられる取付板８２００の一面を本体８０の開口を通して露出させる向きで本体８０に固定される。つまり、ＬＥＤモジュール２の第１〜第３の光源部２０Ａ〜２０Ｃから放射される光は、閉位置のグローブ８１を透過して空間に照射される。
【００３８】
ここで、アーム８２の固定部８２１は、本体８０の長手方向の端部（図３における下端部）から本体８０の長手方向に沿って突出している。アーム８２の固定部８２１は、図３に示すように、取付金具９を介して支柱５０に固定される。取付金具９は、鋼板などの板材により、長方形平板状の取付板９０と、取付板９０の長手方向に沿った両端縁から厚み方向に立ち上がる一対の側板９１とを有する角樋状に形成されることが好ましい。取付板９０には、３つのねじ孔が設けられることが好ましい。また、各側板９１には、長方形の取付孔９１０がそれぞれ設けられることが好ましい。
【００３９】
次に、本実施形態の照明器具８の施工手順を説明する。まず、施工作業を行う作業者は、各側板９１の取付孔９１０に挿通した取付バンド９２を支柱５０に巻回すことで取付金具９を支柱５０に固定する。続いて、作業者は、取付金具９の前方からアーム８２の固定部８２１を被（かぶ）せる。それから、作業者は、固定部８２１の第１ねじ挿通孔８２１２、第２ねじ挿通孔８２１３、ねじ挿通溝８２１４の各々に挿通した３本のねじ９３〜９５を、取付金具９の取付板９０の３つのねじ孔の各々にねじ込む。このように本実施形態の照明器具８は、取付金具９を介して支柱５０に取り付けられる。ただし、アーム８２の固定部８２１に設けられる挿通孔８２１５に取付バンド９２を挿通し、取付金具９を用いずに固定部８２１を直接支柱５０に固定することも可能である。
【００４０】
上述のように本実施形態の照明器具８は、照明装置（点灯モジュール１及びＬＥＤモジュール２）と、照明装置を支持する器具本体（本体８０及びアーム８２）とを備える。本実施形態の照明器具８は上述のように構成され、組立ての作業性の向上を図ることができる。
【００４１】
ところで、本実施形態におけるＬＥＤモジュール２（２Ａ）は、図５に示すように、別のＬＥＤモジュール２（２Ｂ）と連結可能に構成されることが好ましい。すなわち、ＬＥＤモジュール２Ａの第１基板２１は、第１コネクタ２２が実装されている側（図５における右側）と反対側（図５における左側）の端部に端子台２５が実装される。また、別のＬＥＤモジュール２Ｂの第１基板２１は、一方側（図５における右側）の端部に、第１コネクタ２２の代わりに端子台２５が実装され、他方側（図５における左側）の端部にも端子台２５が実装される。なお、これらの端子台２５は、第１の光源部２０Ａから第３の光源部２０Ｃのそれぞれの正極及び負極と導体２６Ａ〜２６Ｄを介して電気的に接続される。
【００４２】
これら２つのＬＥＤモジュール２Ａ、２Ｂは、互いの端子台２５同士が複数本（図示例では４本）の電線２７で電気的に接続されることが好ましい。つまり、ＬＥＤモジュール２Ａの第１の光源部２０Ａと、別のＬＥＤモジュール２Ｂの第１の光源部２０Ａとが電気的に並列接続され、ＬＥＤモジュール２Ａの第２の光源部２０Ｂと、別のＬＥＤモジュール２Ｂの第２の光源部２０Ｂとが電気的に並列接続される。さらに、ＬＥＤモジュール２Ａの第３の光源部２０Ｃと、別のＬＥＤモジュール２Ｂの第３の光源部２０Ｃとが電気的に並列接続される。
【００４３】
ここで、ＬＥＤモジュール２Ａの第１の光源部２０Ａの隣に、別のＬＥＤモジュール２Ｂの第３の光源部２０Ｃが並ぶように、２つのＬＥＤモジュール２Ａ、２Ｂが連結されることが好ましい。つまり、第３の光源部２０Ｃは、第１の光源部２０ＡよりもＬＥＤの個数が相対的に少ないので、光束も相対的に少なくなる。ゆえに、ＬＥＤモジュール２Ａの第１の光源部２０Ａと、ＬＥＤモジュール２Ｂの第３の光源部２０Ｃとが並ぶことにより、全体的な均斉度の低下を抑制することができる。なお、別のＬＥＤモジュール２Ｂの端子台２５と、更に別のＬＥＤモジュールの端子台とを電線で電気的に接続し、３つ以上のＬＥＤモジュール２を連結することも可能である。
【符号の説明】
【００４４】
１  点灯モジュール（点灯回路部）
２  ＬＥＤモジュール
８  照明器具
１０Ａ  第１の定電流回路
１０Ｂ  第２の定電流回路
１０Ｃ  第３の定電流回路
１１  整流器
１２Ａ、１２Ｂ  入力端子
１３  第２コネクタ
１４  第２基板
１５  第２導体
２０Ａ  第１の光源部
２０Ｂ  第２の光源部
２０Ｃ  第３の光源部
２１  第１基板
２２  第１コネクタ
８０  本体（器具本体）
８２  アーム（器具本体）
２０１〜２２５  発光ダイオード
【図１】
0006455785.tif 000002
【図２】
0006455785.tif 000003
【図３】
0006455785.tif 000004
【図４】
0006455785.tif 000005
【図５】
0006455785.tif 000006